(57)【特許請求の範囲】
【請求項１】
シンボルを表す超広帯域信号を受信する方法において、
該信号は、伝送チャネル上において伝送され、１シンボル時間にわたって、一連の変調された連続した直接パルスを含み、それぞれの変調されたパルスは、少なくとも１つの直接伝播経路に沿って伝播し、前記一連のパルスには、それぞれが二次伝播経路に沿って伝播する複数の別個の連続した二次パルスが関連しており、
前記一連の変調された連続した直接パルスと、該変調された連続した直接パルスのそれぞれに関連する前記複数の二次パルスは、同一の受信回路上において連続して受信される、方法であって、
前記方法は、
一連の基本相関パターンから構成された複合相関パターンを生成するステップであって、前記一連の基本相関パターンの各々は、前記直接パルスのそれぞれと関連する第１基本相関パターンと、それぞれが連続した二次パルスに関連する連続した基本相関パターンとを有する、ステップと、
前記複数の二次パルスと関連するそれぞれの直接パルスと前記複合相関パターンの間のグローバルな相互相関係数の値を算出するステップであって、この結果、前記シンボルのグローバル相関値を取得することができる、ステップであり、
前記グローバル相関値の計算は、前記基本相互相関パターンのそれぞれと、前記複数の二次パルスに関連する前記直接パルスとの間の基本相互相関係数を算出するステップと、前記シンボルの前記グローバル相関値を表す前記グローバル相互相関係数を伝送するべく、基本相互相関係数値のグループを前記シンボル時間にわたって積分するステップとを含む、ステップと、を有していることを特徴とする方法。
【請求項２】
前記連続した基本相関パターンは、前記直接伝播経路上における前記直接パルスの伝播時間と、前記対応する二次伝播経路上を伝播する前記関連する二次パルスの伝播時間の間の伝播時間の差だけ、前記第１基本相関パターンに対して、時間シフトしていることを特徴とする、請求項１に記載の方法。
【請求項３】
直接経路又は複数の二次伝播経路の中の二次経路上において伝播する、パルスの計数可能なグループ、直接パルス及び二次パルス、について、前記方法は、最初のＮ個の経路を保持し、
前記最初のＮ個の経路は、前記関連する変調されたパルスの最短伝播時間に対応している前記直接経路と、連続的に増大している二次パルスの伝播時間にそれぞれが対応しているＮ−１個の二次経路と、を有している、
ことを特徴とする、請求項１に記載の方法。
【請求項４】
直接経路又は複数の二次伝播経路の中の二次経路上において伝播する、パルスの計数可能なグループ、直接パルス及び二次パルス、について、前記直接パルス又は二次パルスの振幅が最大値、２番目に大きい値、３番目に大きい値、・・・、Ｎ番目に大きい値であるＮ個の経路を保持すること、を特徴とする、請求項１に記載の方法。
【請求項５】
前記保持する経路の数Ｎは、前記最初のＮ個の経路の選択基準に従うか、或いは、伝播条件に応じて前記直接パルス及び前記二次パルスの最大振幅に対応するＮ個の経路の選択基準に従って適合され、この結果、前記超広帯域信号による接続の品質を最適化することができることを特徴とする、請求項３又は請求項４に記載の方法。
【請求項６】
前記複合相関パターンを生成するステップは、
少なくとも１つのシンボル時間にわたる相関により、前記伝播時間と、前記直接パルスと連続した二次パルス間の伝播時間の差の直接パルス又は二次パルスにおける前記伝送チャネルのイメージを確立するステップと、
前記二次伝播経路及び／又は前記直接伝播経路の出現及び消失を更新すると共に、少なくとも１つのシンボル時間にわたって、前記伝送チャネルの更新されたイメージとして前記複合相関パターンを確立するべく、スライディング相関により、前記伝送チャネルの前記イメージを更新するステップと、
を有することを特徴とする、請求項１に記載の方法。
【請求項７】
シンボルを表す超広帯域信号を受信するシステムにおいて、
伝送チャネル上において伝送される前記信号は、１シンボル時間にわたって、一連の変調された連続した直接パルスを有しており、それぞれの変調されたパルスは、少なくとも１つの直接伝播経路に沿って伝播し、前記一連のパルスには、それぞれが二次伝播経路に沿って伝播する複数の別個の連続した二次パルスが関連している、システムであって、
該システムは、
前記一連の変調された連続したパルスと、該変調された連続した直接パルスのそれぞれと関連した前記複数の二次パルスとを受信する共通手段と、
該共通受信手段に接続されており、少なくとも１つのシンボル時間にわたって、前記伝播時間および、前記直接パルスと連続した二次パルスとの間の伝播時間の差の直接及び二次パルスにおける前記伝送チャネルのイメージを取得して更新する手段であって、該取得及び更新手段によれば、スライディング相関により、前記二次伝播経路及び／又は前記一次伝播経路の出現と消失を更新すると共に、少なくとも１つのシンボル時間にわたって、直接パルス及び複数の連続した二次パルスとそれぞれが関連している一連の連続した基本相関パターンから構成された複合相関パターンを確立することが可能であり、該取得及び更新手段によれば、前記伝送チャネルの前記イメージを表す経路リスト信号を伝送可能である、取得及び更新手段と、
直接及び二次伝播経路の前記経路リスト信号を受信し、前記複数の二次パルスと関連するそれぞれの直接パルスと前記複合相関パターンとの間の、前記シンボルのグローバル相関値を取得することを可能とする、グローバルな相互相関係数の値を算出可能な単一相関手段と、
を少なくとも備え、
前記グローバル相関値の計算は、
前記基本相互相関パターンのそれぞれと、前記複数の二次パルスに関連する前記直接パルスとの間の基本相互相関係数を算出するステップと、
前記シンボルの前記グローバル相関値を表す前記グローバル相互相関係数を伝送するべく、基本相互相関係数値のグループを前記シンボル時間にわたって積分するステップと、を含む、ことを特徴とするシステム。
【請求項８】
前記連続した基本相関パターンのそれぞれは、前記直接伝播経路上における前記直接パルスの伝播時間と、前記対応する二次伝播経路上において伝播する前記関連する二次パルスの伝播時間の間の伝播時間の差だけ、前記直接パルスのそれぞれと関連する前記第１基本相関パターンに対して、時間シフトしていることを特徴とする、請求項７に記載のシステム。
【請求項９】
前記取得及び更新手段は、
前記共通受信手段から前記一連の連続したパルスを受信して、グローバルな取得相関係数値を伝送する少なくとも１つのグローバル取得及び追跡相関手段と、
少なくとも前記グローバルな取得相関係数値及び前記グローバルな相関係数値を受信し、一方においては、直接及び二次伝播経路の前記経路リスト信号を、他方においては、同期信号を、前記グローバルな取得及び追跡相関手段に伝送するチャネル走査及び追跡モジュールと、
を有することを特徴とする、請求項８に記載のシステム。
【請求項１０】
前記グローバルな取得及び追跡相関手段は、
受信された前記一連の連続したパルスを受信する相関器と、前記取得相関係数値を伝送する総和積分器と、
前記同期信号を受信し、取得相関パターンを前記相関器に伝送する基本同期パターン生成器であって、前記同期信号は、一連の連続した基本相関パターン時間から構成されており、この結果、前記伝送チャネルの変化に応じた直接及び二次伝播経路の出現及び消失に従う前記単一相関手段によって伝送される先行するシンボルの前記グローバルな相関係数値に基づいて、スライディング相関により、後続のシンボル時間の前記経路リスト信号を更新することができる、基本同期パターン生成器と、
を有することを特徴とする、請求項９に記載のシステム。
【請求項１１】
前記チャネル走査及び追跡モジュールから伝送される前記経路リスト信号は、前記単一相関手段から伝送される前記グローバルな相互相関係数値が最大値である受信された前記一連の連続したパルスを有する前記複合相関時間から形成されていることを特徴とする、請求項７に記載のシステム。
【請求項１２】
前記受信された一連の連続したパルスを受信する複数のグローバルな取得及び追跡相関手段を有し、
前記グローバルな取得及び追跡相関手段のそれぞれは、１つの基本同期パターン生成器と関連付けられており、
前記グローバルな取得及び追跡相関手段及びこれと関連付けられた前記基本パターン生成器から形成されたアセンブリは、前記チャネル走査及び追跡モジュールから伝送される特定の相関時間リスト信号を受信し、前記特定の相関時間リスト信号は、シフトした時間セグメントに対応しており、
この結果、一連の連続した基本相関パターンを、連続した相補的な時間セグメントによるスライディング相関によって生成可能であり、
前記伝送チャネルの前記イメージの取得時間を、前記複数のグローバルな取得及び追跡相関手段を構成しているグローバルな取得及び追跡相関手段の数によって実質的に除算可能であることを特徴とする、請求項９に記載のシステム。
【請求項１３】
前記単一相関手段は、
基本相関パターン生成器と、
前記生成器と関連付けられており、前記複合相関パターンを構成する前記基本相関パターンの中の少なくとも１つの重み付けを実行するモジュールと、
を少なくとも有することを特徴とする、請求項７ないし１２のいずれか１項に記載のシステム。
【発明の詳細な説明】
【技術分野】
【０００１】
本発明は、自己適応数の伝播経路を有する超広帯域信号を受信する方法及びシステムに関するものである。
【背景技術】
【０００２】
超広帯域信号を使用する無線通信技法（英語では、これを「ＵＷＢ」とも呼ぶ）においては、搬送波周波数を使用せず、信号を変調するか又は搬送波をサポートする代わりに、１ナノ秒未満の非常に短い経続時間を有するサポートパルス（即ち、数ＧＨｚの非常に大きな帯域）を使用して、伝送対象の情報をベースバンドで直接伝送している。
【０００３】
これらのパルスは、非常に小さなパワーで伝送されるため、この伝送信号のパワーのスペクトル密度は、結果的に非常に小さなものになっている。
【０００４】
従って、ＵＷＢ信号は、連続した信号ではなく、非常に小さな循環比率を具備する非常に短時間のパルスのシーケンスである。
【０００５】
通常、このようなタイプの信号による伝送に対する多元アクセスは、擬似ランダムシーケンスによって制御された時間跳躍（時間ホッピング）によって実現されている。この信号は、連続パルスのフォームファクタ（又は、場合によっては、遅延）によって、振幅の観点で変調可能である。
【０００６】
搬送波を使用する基本技法の概念とは対照的に、ＵＷＢ信号を送受信する技法は、この種の技法としては唯一のものであり、これらは、スペクトル拡散信号を検出する技法に類似している。
【０００７】
具体的には、ＵＷＢ信号用の「櫛形」受信機は、使用場所のトポロジーにより、多数の二次伝播経路のために変化する、又は低速で変化する、複雑な伝送チャネルが生成されると共に、実際に直接可視状態の伝播経路の存在が妨げられるような干渉を伴う環境において動作するべく設計されている。
【０００８】
これを実現するべく、従来技術による既存のＵＷＢ信号用の受信機は、通常、スペクトル拡散信号の受信機に使用されているものから派生した「櫛形」と呼ばれる構造を具備している。
【０００９】
図１Ａに示されているように、このＵＷＢ受信機は、櫛「部材」によって受信するブランチを有しており、それぞれの受信ブランチは、所与の１つの受信経路を処理している。そして、このそれぞれの受信ブランチの出力は、その受信機の設計者が追求する方式に従って、α1、αj、αNによって重み付けされた後に、再結合される。
【００１０】
尚、この受信機の正常な動作を確保するには、パルスの新しい二次及び／又は一次伝播経路をサーチするために、受信ブランチの中の１つを割り当てる必要がある。従って、「Ｎ」個の部材又は、経路を具備する「櫛形」ＵＷＢ受信機の場合には、Ｎ＋１個の受信ブランチを提供することが必要である。
【００１１】
又、図１Ｂに示されているように、櫛形ＵＷＢ受信機の場合には、受信ブランチは、アナログ相関器、相関パターン生成器、およびアナログ積分器から構成されている。そして、対象の受信ブランチに関係する経路の追跡は、その受信機の制御ブロックによって実現されている。
【００１２】
櫛形ＵＷＢ受信機が同期すると、その受信機の制御ロジックは、パルスの到着時間に対応したパターンを生成する。この結果、受信したパルスとの間に高い相互相関値を具備すると共に、白色雑音が存在下においてはゼロの相互相関値を具備するべく構成された相関パターンが生成される。尚、高い中間相互相関値は、直接又は二次パルスの存在を示している。
【００１３】
図１Ｃは、一例として、２−ＰＰＭデジタル変調の場合におけるこの原理の例を示しており、０及び１という２値の伝送が、時間シフトされた２つのパルスＡ及びＢの伝送によって表されている。
【００１４】
相関パターンは、値０の伝送に対応するシフトしていないパルス（Ａ）が存在する場合には、相互相関係数の値が正となり、値１の伝送に対応するシフトしたパルス（Ｂ）が存在する場合には、負となり、パルスが存在しない場合には、０となるように構成されている。従って、相関パターンは、対称の中心に対して対称になっている。
【００１５】
但し、１つのシンボルは、しばしば、いくつかのパルスにわたって符号化されるため、同一のシンボルに関係するそれぞれのパルスごとの相互相関係数の取得値を積分することにより、そのシンボルのグローバルな相関係数値を取得することが必要となる。そして、この値を受信機の制御ロジックに伝送し、使用している符号化法に従って、この制御ロジックにおいて解釈することにより、その伝送されたシンボルを検出する。
【００１６】
図１Ｄには、それぞれが擬似ランダムシーケンスを有する二人の同時ユーザーを伴うＰＰＭ変調のケースにおける別の例が示されている。この例においては、シンボルが３回反復されており、従って、それぞれのユーザーは、同一のシンボルを表す３つのパルスを伝送している。この結果、シンボル時間Ｔsは、３つのフレームＴｆに分割されており、この内部において、それぞれのユーザーは、単一の一意のパルスを符号化している。
【００１７】
フレームＴf内におけるこのパルスの場所は、それぞれのユーザーに属している擬似ランダムシーケンスの値により、基本フレームインターバルに対して固定されている。最後に、この図示の２値伝送が、シフト動作が存在しない値０ではなく、値１の伝送である場合には、それぞれのパルスは、それぞれの基本フレームインターバルの開始点に対して、時間の長さδだけシフトしている。
【００１８】
この櫛形ＵＷＢ受信機は、それぞれの追加部材が１つの追加受信ブランチの組込みを前提としているため、過度に複雑なものになっている。この結果、このタイプの受信機には、組込み、空間要件、費用、及び消費に関する制約の観点における具備可能な部材の数に対する相対的に厳格な制限が存在している。
【００１９】
実際に、４つを上回る数の部材（即ち、５つの動作可能な受信ブランチ）を具備する櫛形ＵＷＢ受信機を実現できることは稀である。
【００２０】
従って、このタイプの受信機の用途は、接続品質の観点における全体的な機能に関する基準が、費用に関する基準よりも優先する高度な用途に限定されている。
【００２１】
完全にデジタル化された櫛形ＵＷＢ受信機ソリューションも既に案出されており、この場合には、アンテナの出力において、受信信号を直接デジタル化している。しかしながら、このタイプの受信機の構造は、この種のデジタル化された信号の純粋にソフトウェアに基づいた処理のために、もはや、従来の櫛形アーキテクチャに対応しておらず、現在のアナログ／デジタルコンバータは、このタイプの用途に適しておらず、且つ、この種のデジタル信号に対して実行を要するデジタル処理動作が、現在のデジタル信号プロセッサによっては、リアルタイムで実行不能であるため、このタイプのソリューションは、現時点においては、実現不能である。
【発明の開示】
【発明が解決しようとする課題】
【００２２】
本発明の目的は、櫛形ＵＷＢ信号受信機の使用に伴う従来技術のこのようなすべての欠点を克服することにある。
【課題を解決するための手段】
【００２３】
具体的には、本発明の一態様は、その物理的なアーキテクチャが、従来技術の櫛形ＵＷＢ受信機のアーキテクチャと比べて、格段に単純化された超広帯域ＵＷＢ信号を受信する方法及びシステムの使用法である。
【００２４】
本発明の別の態様は、この態様によれば、前述の単純化によって動作コストを格段に低減可能なＵＷＢ信号を受信する方法及びシステムの使用法である。
【００２５】
本発明の別の態様は、この態様によれば、使用する構造の大幅な単純化にも拘らず、効果的に処理される一次及び二次伝播経路の数に対する物理的な制限が存在していないために、接続と全体的な有効性の品質の大幅な改善を実現する超広帯域信号を受信する方法及びシステムの使用法である。
【００２６】
最後に、本発明の別の態様は、前述の有効な一次及び二次経路の数に関する物理的な制限が存在しないために、自己適応数の効果的に処理される伝播経路を有する超広帯域信号を受信する方法及びシステムの使用法であり、これによれば、厳しく且つ変化する環境に基づいた伝送チャネルが存在する場合にも、送信機と受信機間における無線接続の品質を最適化することができる。
【００２７】
本発明によるＵＷＢの受信方法及びシステムは、あらゆるタイプの家庭内装置又は専門的装置の無線接続に使用可能であり、特に、変化する、又は大量の干渉が存在する無線／マイクロ波手段による伝送チャネルに対応した環境において使用可能である。
【００２８】
これらについては、従来技術に関係する図１Ａ〜図１Ｄに加え、別途、「図面の簡単な説明」の節に記載されている添付図面に関する説明及び検討内容を参照することにより、十分に理解することができよう。
【発明を実施するための最良の形態】
【００２９】
以下、図２及びこれに続く図面を参照し、本発明の主題による超広帯域信号を受信する方法及びシステムについて、更に詳しく説明する。
【００３０】
尚、一般に、超広帯域信号の伝送プロセスは、図１Ａ〜図１Ｄを参照して前述したものに対応しており、本発明による受信方法の場合にも、このような条件下における一連の変調された連続した直接パルスのシンボル時間Ｔsにわたる受信を実現するものであり、このそれぞれのパルスは、少なくとも１つの直接伝播経路に沿って伝播し、この一連のパルスには、複数の別個の連続した二次パルスが関連しており、このそれぞれは、直接伝播経路とは別個の二次伝播経路に沿って伝播することに留意されたい。
【００３１】
特に、このような条件下においては、それぞれの直接パルスは、最短伝播時間に対応しており、この直接パルスに関連するそれぞれの別個の連続した二次パルスは、その二次パルスが関連している直接パルスの受信時点に対して、連続的に時間シフトしていることを理解されたい。
【００３２】
これらの直接及び二次伝播経路は、これらの経路上を伝播する対応したパルスの反射回数に関する標識をまったく提供しない。しかしながら、別個の連続した二次パルスは、格段に多数回の反射によって生成されており、このそれぞれの反射は、減衰の源であって、この別個の連続した二次パルスは、その受信の次数に応じて大幅に減少した振幅又はエネルギーを具備しているものと考えられる。
【００３３】
この結果、パルスＩＤijの伝送を考えた場合に、これらのパルスが、例えば、変調が、２−ＰＰＭタイプであるとすると、例えば、図１Ｄに示されている伝送パルスに対応することになる。尚、この概念においては、添え字ｉは、図１Ｄのケースにおけるユーザー１又は２を意味しており、添え字ｊは、それぞれのユーザーに割り当てられている擬似ランダム符号に従ってそれぞれのフレームＴf内において伝送されるパルスの次数を意味している。
【００３４】
非限定的な例として、且つ説明をわかりやすくするために、図１Ｄのユーザーｉ＝１、ｉ＝２のそれぞれに割り当てられている擬似ランダム符号は、シンボル時間の構成要素であるフレームに連続的に対応していると考えよう。このそれぞれのユーザー用の擬似ランダム符号は、それぞれ、ユーザー１の場合には、ｊ＝１、３、７であり、ユーザー２の場合には、ｊ＝５、４、１である。
【００３５】
そして、時間シフトδは、わかりやすくするために、図１Ｄの場合と同一であるとする。
【００３６】
次いで、図２を参照すれば、本発明による方法は、同一受信回路上において、一連の変調された連続した直接パルスと、この変調された連続した直接パルスのそれぞれと関連する複数の二次パルスを受信する段階Ａを有している。
【００３７】
このような条件下においては、一連の直接パルス及び関連する二次パルスは、次のように表すことができる。
【００３８】
【数１】
0004468822.tif 000002
【００３９】
尚、この表記法において、ｉ及びｊは、それぞれ、ユーザー参照と、シンボル時間Ｔs内におけるフレーム参照を表しており、ｋは、受信したパルス（直接パルス及び／又は二次パルス）の次数を表している。
【００４０】
そして、従来は、それぞれのフレームＴf内における直接パルスの次数は、任意に、例えば、０に等しいものとし（即ち、ｋ＝０）、連続する別個の二次パルスには、ｋ＝１〜Ｎという次数を割り当てている。
【００４１】
この受信段階Ａの後には、段階Ｂが続いているが、この段階は、一連の基本相関パターンから構成された複合相関パターンを演算によって生成する段階を有している。
【００４２】
一般に、それぞれの基本相関パターンは、２−ＰＰＭ変調の非限定的な例の場合には、図１Ｃに示されているテンプレートと呼ばれる信号に対応している。
【００４３】
更に詳しくは、この一連の基本相関パターンは、それぞれの直接パルス（即ち、それぞれのユーザーに割り当てられている擬似ランダム符号によって付与される位置に、それぞれのフレームＴf内の位置の観点において対応しているパルス）と関連する第１基本相関パターンと、当然のことながら、次数ｋ（ｋ∈［１，Ｎ］）の連続した二次パルスにそれぞれ関連する連続した基本相関パターンと、を有している。
【００４４】
そして、当然のことながら、このそれぞれの二次パルスと関連する連続した基本相関パターンは、一方において、直接伝播経路上における次数ｋ＝０の直接パルスの伝播時間と、他方において、対応する二次伝播経路上における連続した次数ｋ∈［１，Ｎ］を具備した関連する二次パルスの伝播時間の間の伝播時間の差に対応する値だけ、直接パルスと関連する第１基本相関パターンに対して、時間シフトしている。
【００４５】
図２を参照すれば、この段階Ｂにおいて、複合相関パターンは、次の表記法によって表されている。
【００４６】
【数２】
0004468822.tif 000003
【００４７】
この複合相関パターンを生成するには、非限定的な例として、１シンボル時間にわたって受信した直接及び二次パルスのすべてをスライディング相関によって検出する。そして、このように１シンボル時間にわたって実行した演算は、後続のシンボル時間に対して使用可能であることが判明している（これは、１シンボル時間わたって（又は、必要に応じて、２シンボル時間にわたって）伝送チャネルが実質的に変化しないと考えられるという事実によるものである）。尚、この複合相関パターンの実行及び演算プロセスについては、本明細書において後程詳述する。
【００４８】
次いで、この段階Ｂの後には、段階Ｃが続いており、この段階は、複数の二次パルスに関連するそれぞれの直接パルスと複合相関パターン間におけるグローバルな相互相関係数値を算出する段階を有している。
【００４９】
この図２の段階Ｃにおいて、この動作は、次のように表されている。
【００５０】
【数３】
0004468822.tif 000004
【００５１】
この関係は、ＧＣＣが、複数の二次パルスに関連するそれぞれの直接パルスと前述の複合相関パターン間において取得されるグローバルな相互相関係数の値を表していることを示している。
【００５２】
従って、このグローバルな相互相関係数ＧＧＣの値は、同一シンボルについて伝送される変調されたパルスのそれぞれごとに取得された直接及び二次パルスのそれぞれの相互相関係数の合計から構成されており、それぞれのユーザーごとに伝送されるシンボルのグローバルな相関値を表していることを示している。
【００５３】
この結果、このグローバルな相互相関係数を算出する段階は、図２の段階Ｃを参照すれば、それぞれの基本相互相関パターンと、この基本相互相関パターンのそれぞれに関連する直接又は二次パルス間における基本相互相関係数を算出する段階と、次いで、基本相互相関係数値のすべてをシンボル時間Ｔsにわたって積分する段階と、を有している。
【００５４】
次に、図３Ａ、図３Ｂ、図３Ｃ、及び図３Ｄに示されているパルスタイミング図を参照し、この図２に示されている段階Ａ、Ｂ、及びＣの実装について説明する。
【００５５】
図３Ａは、図１Ｄの非限定的な例における一連の変調された連続した直接パルスと、この直接パルスのそれぞれに関連する二次パルスを示している。
【００５６】
尚、ユーザー１及び２について生成された次数ｋ＝０の直接パルスは、ハッチングと点によって別途に示されており、実数ｋ＞１の二次パルスは、図面を過剰に複雑なものにしないように、ｋ＝３に限定されている。
【００５７】
又、特に、ＩＤ111〜ＩＤ113などの二次パルスの位置は、後続の直接パルスｋ＝０との関係において、どの位置であってもよいことを理解されたい。
【００５８】
このような条件下においては、対応する直接パルスと関連するそれぞれの二次パルスの時間シフトθ11、θ12、θ13、及びθ21、θ22、θ23は、前述の表記法どおりに、それぞれの連続したフレームインターバルＴfにわたって反復されている。
【００５９】
この結果、図３Ｂに示されている複合相関パターンは、次数ｋ＝０のそれぞれの直接パルスに対してそれぞれの基本相関パターンをロッキングする段階と；例えば、図１Ｃに示されているように、それぞれの基本相関パターンの構成要素テンプレートの時間分解能に対応する時間インターバルで生成された連続した基本相関パターンの相互相関係数を算出する段階と；図３Ｂに示されているように、複合相関パターンを構成するべく、例えば、その相互相関積が閾値を上回っている連続した基本相関パターンのみを選択する段階と；によって生成可能である。
【００６０】
尚、このような条件下においては、前述の複合相関パターンは、次数ｋ＝０の直接パルスが出現する時点のみならず、その基本相関パターンとの相互相関係数が前述の閾値を上回っている次数ｋ＞１の二次パルスも出現する時点において生成された基本相関パターンから実質的に構成されていることを理解されたい。
【００６１】
次いで、図３Ｃ及び図３Ｄに示されているように、この図３Ｂに示されている複合相関パターンと前述のパルス列に基づいて、それぞれのユーザーごとに、並びに、直接パルス及びそれらに関連する二次パルスについて、グローバルな相互相関係数の値を算出する段階を実行する。
【００６２】
一般に、直接パルスと、当然のことながら、それぞれのユーザーに割り当てられた擬似ランダム符号に基づいて、複合相関パターンが、実質的に１シンボル時間にわたって同期している場合には、二次パルスの次数の弁別は必須のものではなく、最終的に考慮されるのは、シンボル時間Ｔs内におけるこれらのパルスの位置のみである。
【００６３】
従って、本発明による方法は、複合相関パターン（そして、グローバルな相互相関係数の値）の演算段階を確保するべく最終的に保持するパルスの数が、その使用特性に従い、且つ、本発明による方法を実行するべく、例えば、それぞれの直接パルスについて１０個の二次パルスなどというような大きなものであってよく、容易に選択可能であるという点において特に注目に値するものである。
【００６４】
具体的には、この保持するパルスの数の選択は、二次パルスの振幅及び／又はエネルギーのレベル、或いは、更に単純なケースにおいては、保持するパルスの有効数という２つのいずれかに関する検討から導出可能である。
【００６５】
この結果、直接及び二次パルスの計数可能なグループについて、２つの連続したパルスの時間差を考慮することにより、本発明による方法は、最初のＮ個の経路を保持する段階を有することが可能であり、この最初のＮ個の経路は、関連する変調されたパルスの最短伝播時間に対応している次数ｋ＝０の直接経路と、連続的に増大する二次パルスの伝播時間にそれぞれが対応しているＮ−１個の二次経路と、を有している。
【００６６】
このソリューションにおいては、図３Ａ及び図３Ｂを参照すれば、保持する二次パルスの数は、同一のフレームから直接パルスを弁別する段階と、２つの連続した直接パルス（又は、場合によっては、３つの連続した直接パルス）の間に存在する二次パルスを保持する段階と、を有することができる。そして、このようにして保持した二次パルスの数により、最初のＮ個の経路を定義し保持することができる。
【００６７】
二次パルスの数を選択するための別の実行可能な方法は、考慮対象の直接パルス及び二次パルスの計数可能なグループについて、その直接パルス又は二次パルスの振幅又はエネルギーが最大値に位置しているＮ個の経路を保持する段階を有することができる。
【００６８】
このタイプの動作方法においては、当然のことながら、最大値と判断される次数ｋ＝０の直接パルスの振幅又はエネルギーを弁別する段階に加え、最大の振幅及び／又はエネルギーを具備するＮ個のパルスを保持するべく、その振幅及び／又はエネルギーに応じて二次パルスを弁別する段階を有している。
【００６９】
但し、本発明による方法の実装の観点においては、直接パルスに関連する二次パルスの数Ｎのみを使用する弁別法は、前述のパルスの振幅及び／又はエネルギーの基準を使用する弁別法と比べて、その有効性が相対的に低いものになる可能性が高いことを理解されたい。
【００７０】
いずれにしても、保持する経路の数Ｎは、相対的に迅速な処理を実現するべく最初のＮ個の経路の選択基準に従うか、或いは、この代わりに、伝播条件に応じて直接パルス及び二次パルスの最大振幅及び／又はエネルギーに対応するＮ個の経路の選択基準に従うことによって適合可能である。この結果、このタイプの動作方法によれば、超広帯域信号による接続の品質を最適化することができる。
【００７１】
図３Ｂのタイミング図に示されているように、複合相関パターンを算出する段階に関連し、このプロセスは、少なくとも１つのシンボル時間Ｔsにわたる相関により、伝播時間と、連続した直接及び二次パルス間における伝播時間の差の直接パルス又は二次パルスの観点における伝送チャネルのイメージを確立する段階と、次いで、二次伝播経路（必要に応じて、直接伝播経路）の出現と消滅を更新すると共に、少なくとも１つのシンボル時間にわたって、伝送チャネルの更新済みのイメージとして複合相関パターンを確立するべく、スライディング相関によって伝送チャネルのイメージを更新する段階と、を有している。
【００７２】
次に、図４Ａ及び図４Ｂを参照し、本発明によるシンボルを表す超広帯域信号を受信するシステムについて更に詳細に説明する。
【００７３】
図４Ａに示されているように、本発明によるシステムは、一連の変調された連続したパルス（次数ｋ＝０の直接パルスと次数ｋ＞０の二次パルス）の共通受信回路を有している。
【００７４】
非限定的な例として、この共通受信回路は、アンテナＡnと、アンテナ増幅器を構成している低雑音増幅器ＬＮＡと、を有している。
【００７５】
そして、これらは、更に、少なくとも１つのシンボル時間Ｔsにわたって、伝播時間と、連続する直接パルスと二次パルス間における伝播時間の差の直接パルス又は二次パルスの観点における伝送チャネルのイメージを取得して更新する手段１を有している。
【００７６】
本発明による方法に関連して前述したように、この取得及び更新手段１によれば、二次伝播経路及び一次伝播経路の出現と消滅をスライディング相関によって更新すると共に、当然のことながら、少なくとも１つのシンボル時間にわたって複合相関パターンを確立することが可能である。これは、前述のパターンＭＣＣijkである。
【００７７】
図４Ａに示されているように、この取得及び更新手段１によれば、伝送チャネルのイメージを表す経路リスト信号を伝送することが可能であり（この経路リストは、図４には、ＬＴと表記されている）、このリストは、例えば、それぞれのシンボル時間Ｔsごとに、伝送される。
【００７８】
非限定的な例として、この経路リスト信号は、前述の複合相関パターンＭＣＣijkを生成するべくそれぞれの基本相関パターンを連続生成することを要するシンボル時間における時点の指定に対応したものであってよい。
【００７９】
複合相関パターンＭＣＣijkと同様に、この経路リスト信号ＬＴが表している時間も、当然のことながら、直接伝播経路上における直接パルスの伝播時間と、対応する二次伝播経路上を伝播する関連した二次パルスの伝播時間の間の伝播時間の差だけ、それぞれの直接パルスと関連する第１基本相関パターンの時間に対して、時間シフトしている。
【００８０】
更には、本発明による方法は、直接及び二次伝播経路の経路リスト信号ＬＴを受信する単一相関手段２をも有しており、この単一相関手段２によれば、複数の二次パルスと関連するそれぞれの直接パルスと、複合相関パターンＭＣＣijk間におけるグローバルな相互相関係数ＧＣＣの値を算出することができる。
【００８１】
次に、この図４Ａを参照し、取得及び更新手段１について更に詳しく説明する。
【００８２】
第１実施例によれば、この取得及び更新手段１は、グローバルな取得及び追跡相関手段を有しており、これは、参照符号１1によって示されており、共通受信回路から伝送された一連の連続したパルスを受信して、ＧＡＣ1と表記されているグローバル取得相関係数値を伝送する。
【００８３】
更に詳しくは、図１Ｂに示されている従来技術の装置と同様に、このグローバルな取得相関手段１1は、相関器１12、積分器又は総和積分器１13、及び基本同期パターンＳＥＭ1の生成器１11を有している。
【００８４】
そして、取得及び更新手段１は、このグローバルな取得及び追跡相関手段１1から伝送されるグローバルな取得相関係数値ＧＡＣ1と、単一相関手段２から伝送されるグローバル相互相関係数値ＧＣＣと、を受信するチャネル走査及び追跡手段１0を更に有している。
【００８５】
このチャネル走査及び追跡モジュール１0は、本発明による方法の実装に関連して前述した直接及び二次伝播経路のリストＬＴを伝送すると共に、シンボル時間における同期信号ＳＴ1を、取得及び更新手段１1を構成している基本同期パターン生成器１11に伝送する。
【００８６】
尚、具体的には、この同期信号ＳＴ1は、図３Ｂの位置（１）に示されているタイミング図に対応するものである。
【００８７】
このような条件下において、基本同期パターン生成器１11は、スライディング相関によるチャネルイメージの取得後に、取得相関パターンを形成する基本同期パターンＳＥＭ1のグループを伝送し、この取得相関パターンは、伝送チャネルの大きな変化が存在しない状態において、それぞれの直接パルス及び関連する二次パルスの存在を予測可能な時点において生成される基本相関パターンの存在に実質的に対応している。
【００８８】
尚、スライディング相関による取得及び追跡のプロセスの更に詳しい説明については、例えば、Ｒｏｂｅｒｔ  Ｆｌｅｍｉｎｇ、Ｃｈｅｒｉｅ  Ｋｕｓｈｎｅｒ，  Ｇａｒｙ  Ｒｏｂｅｒｔｓ、Ｕｄａｙ  Ｎａｄｉｗａｄａ（ＡＥｔｈｅｒ  Ｗｉｒｅ  ＆  Ｌｏｃａｔｉｏｎ  Ｉｎｃ．）による「Ｒａｐｉｄ  Ａｃｑｕｉｓｉｔｉｏｎ  ｆｏｒ  Ｕｌｔｒａ−Ｗｉｄｅｂａｎｄ  Ｌｏｃａｌｉｚｅｒｓ」という名称の論文を参照されたい。この論文は、インターネットサイト「ｈｔｔｐ：／／ｗｗｗ．ａｅｔｈｅｒｗｉｒｅ．ｃｏｍ」において入手可能である。
【００８９】
非限定的な例として、同期信号ＳＴ1は、当然のことながら、シンボル時間にわたって同期している。
【００９０】
このために、チャネル走査及び追跡モジュール１0は、ユーザーのそれぞれの擬似ランダム符号、従ってそれらのそれぞれによって生成される直接パルスの位置と、更には経路リストＬＴと、に基づいて、前述したように、同期信号ＳＴ1を生成可能である。
【００９１】
一変形例においては、図３Ｂの位置（２）に示されているように基本同期パターンを生成する時点の選択は、基本同期パターン生成器１11が保持している擬似ランダム符号に基づいて実行可能であり、次いで、同期信号ＳＴ1を、時間ベースを構成する一連の連続した等距離パルス（例えば、２つの連続した直接及び／又は二次パルスの弁別分解能に対応する期間だけ分離した等距離パルス）に低減する。そして、これらのパルスをそれぞれのシンボル時間Ｔsにおいて反復する。
【００９２】
この結果、図３Ｂの位置（２）に示されている信号は、基本同期パターン生成器１11からグローバル取得相関手段の相関器１22に伝送された取得相関パターンに対応していることを理解されたい。
【００９３】
このような動作方法によれば、伝送チャネルの変化による直接及び二次伝播経路の出現及び／又は消滅に応じた単一相関手段から伝送される先行するシンボル時間のグローバル相関係数値ＧＣＣに基づいて、スライディング相関により、後続のシンボル時間の経路リスト信号ＬＴを更新することができる。
【００９４】
特に、安定状態においては、即ち伝送チャネルが変化しない場合には、経路リスト信号ＬＴは、１つのシンボル時間から別のシンボル時間にかけて実質的に変化しないことを理解されたい。
【００９５】
これとは逆に、例えば、二次パルスが消失又は出現する場合には、相関器１12に伝送される取得相関パターンと、当然のことながら、対応するグローバル相関係数値ＧＡＣ1が、変更されることになる。
【００９６】
従って、相関係数値ＧＣＣ及びＧＡＣ1を比較することにより、取得相関パターンの変更を保持すると共に、当然のことながら、後続のシンボル時間の経路リスト信号ＬＴを更新し、この結果、単一相関手段２の相関プロセスを最終的に更新することができる。
【００９７】
いずれにしても、チャネルが平衡した位置に確立された後には、即ちチャネルが変化していない場合には、チャネル走査及び追跡モジュールから伝送される経路リスト信号ＬＴは、単一相関手段から伝送されるグローバル相互相関係数値ＧＣＣが最大値に位置している受信した一連の連続パルスを有する複合相関時間から形成されていることを理解されたい。
【００９８】
単一相関手段に関連し、図４Ａに示されているように、この手段は、グローバルな取得相関手段と同様に、共通受信回路から一連の連続したパルスを受信する相関器２2と、この相関器２2から伝送される基本相関値に基づいてグローバルな相関係数値ＧＣＣを算出可能な積分器又は総和積分器２3と、このグローバルな相関係数値ＧＣＣを受信するシンボル判定回路２4と、を有している。
【００９９】
又、この単一相関手段２は、前述の経路リスト信号ＬＴを受信する受信制御回路２0と、この受信制御モジュール２0から伝送される信号を受信する基本相関パターン生成器２1と、を有している。そひて、この基本相関パターン生成器２1は、図３Ｂのポイント（２）に示されているように複合相関パターン２1を伝送する。
【０１００】
受信制御モジュール２0に関連し、このモジュールによれば、経路リスト信号ＬＴに基づいて、前述した相関時間に対応する一連のトリガパルスを伝送することができる。そして、このようにして取得された一連のパルスにより、受信及び制御モジュール２0から伝送されるそれぞれのトリガパルスごとに生成される基本相関パターンに基づいて、例えば、図３Ｂのポイント（２）に示されている複合相関パターンを生成することができる。
【０１０１】
最後に、本発明による装置を使用した一変形においては、図４Ａに示されているように、本装置は、複数のグローバル取得及び追跡相関手段、即ち前述の手段１1と、破線で示されているもの１2、を有することが可能である。このグローバル取得及び追跡相関手段は、前述の手段１1と同一であり、このため、この相関器に対しては、類似の参照符号１22が、積分器又は総和積分器に対しては、１23が、基本同期パターン生成器に対しては、１21が、そして、基本同期パターンに対しては、ＳＥＭ2が付加されている。
【０１０２】
尚、複数のグローバル取得及び追跡相関手段を提供可能であるが、チャネル走査及び追跡モジュール１0については、これらすべての手段に共通となっている。
【０１０３】
このタイプの場合には、チャネル走査及び追跡モジュール１0は、図４Ａに、ＧＡＣ1、ＧＡＣ2と表記されている対応するグローバルな取得相関係数の値を受信すると共に、この図面に示されているように、複数の同期信号ＳＴ1、ＳＴ2を伝送する。
【０１０４】
そして、それぞれのグローバルな取得及び追跡相関手段１1、１2（並びに、後続のもの）は、関連する基本同期パターン生成器１11及び１21を有している。これらのそれぞれは、チャネル走査及び追跡モジュール１0から伝送される特定の相関時間リスト信号（即ち、信号ＳＴ1及びＳＴ2（並びに、後続のもの））を受信する。これらの信号は、好都合なことに、例えば、フレームセグメントなどのシフトした時間セグメントに対応可能であり、これらのセグメントは、連続しており、相補的である。この結果、相補的な連続した時間セグメントにより（スライディング相関により）、一連の連続した基本同期相関パターンを生成可能であり、この結果、伝送チャネルのイメージの取得時間を、その複数のグローバルな取得及び追跡相関手段を構成しているグローバルな取得及び追跡相関手段の数によって除算することができる。
【０１０５】
従って、この図４Ａに示されている本発明によるシステムの動作方法について、図４Ｂを参照し、次のように説明することができる。
【０１０６】
接続を確立する際に、初期化段階１００が呼び出される。この段階においては、図４Ａに示されている受信システムの初期化を実行し、具体的には、例えば、すべての演算値をゼロにリセットする。
【０１０７】
そして、この初期化が完了すると、この段階１００の後には、前述したように、スライディング相関によって、チャネルを調査し、同期をサーチする段階１０１が続いている。この段階は、前述したように、ユーザーのそれぞれごとに使用されている擬似ランダム符号と、当然のことながら、この擬似ランダム符号を考慮して、受信され、送信され、この結果受信されたパルスの位置と、に基づいて実行される。メイン相関ピークの出現により、それぞれの一次パルスの位置を検出した後に、一次経路を検出してマーキングすることにより、図４Ａに示されているように、本発明による受信システムを送信機と同期させることができる。そして、この状況において、二次伝播経路の存在を示す二次相関ピークを検出し、この結果、グローバル相関係数ＧＣＣとグローバル取得相関係数ＧＡＣを更新する。
【０１０８】
次いで、チャネル走査及び追跡モジュール１0により、処理対象の経路を識別し、任意選択によって、従来技術の装置におけると同様に、それらに重み係数を割り当てると共に、連続したパルスについて、前述したように個々の伝播時間を記録することができる。
【０１０９】
尚、本発明による方法及びシステム用の特定の動作方法によれば、経路の選択は、Ｎ個の最強経路又は最初のＮ個の経路（或いは、必要に応じて、これらを折衷したもの）を保持することによって実行可能であることに留意されたい。
【０１１０】
そして、同期化の実行が完了し、同期が実現したら、この段階１０１の後には、単一経路受信段階１０２が続いており、この段階においては、経路の選択を実行可能である。
【０１１１】
非限定的な例として、特定の有利な選択プロセスは、到達する最初の経路を処理する段階と、次いで、追加の経路を考慮してもグローバルな信号対雑音比が向上しなくなるまで、後続の経路を１つずつ追加する段階と、を有することができる。
【０１１２】
この段階１０２の完了後に、単一経路受信が取得された際に（即ち、メイン経路の受信が完了し、二次パルスの伝播経路の選択も確立された状態で）、前述の選択を使用可能である。
【０１１３】
次いで、この状況において、取得及び追跡相関手段１1の相関器１12が、更新済みの伝送チャネルのイメージを維持するべくスライティング相関によって動作している間に、相関器の１つ（図４Ａの相関器２2）が受信モードで動作する。この動作は、図４Ｂの段階１０３において実行され、マルチ経路モードにおいて受信が実行される。
【０１１４】
特に、チャネル走査及び追跡モジュールにより、伝播経路の出現と消失を検出し、これらの経路を追跡可能であることを理解されたい。この経路の追跡は、前述したエネルギー又は信号対雑音比の基準に応じて実行可能である。
【０１１５】
従って、チャネル走査及び追跡モジュール１0によれば、経路の動的な処理を提供し、（重み係数を使用している場合に）重み係数の割り当てと変更を実行すると共に、処理済みの経路リストを変更し、経路リスト信号ＬＴを変更して再更新可能であることを理解されたい。
【０１１６】
そして、このような条件下においては、伝送チャネルのイメージの更新との関連でこのように採用された追跡プロセスにより、接続品質の目標を維持することが可能であることを理解されたい。
【０１１７】
段階１０３の後には、マルチ経路受信段階１０４が続いており、この段階は、経路（即ち、経路リストＬＴ）の選択を更新する段階を有している。そして、この図４Ｂの段階１０４から段階１０３に戻っている矢印は、このマルチ経路受信と、当然のことながら、チャネルの走査及び経路リストＬＴの更新が有している連続的な特性を示すものである。
【０１１８】
最終的には、通信が終了した際に、必要に応じて、初期化段階への戻りを再実行することになる。
【０１１９】
図４Ｂを参照すれば、高速で変化する伝送チャネル（即ち、変化の大きなチャネル）の場合には、複数のグローバル取得相関手段１1、１2（並びに、後続のもの）を使用することにより、この伝送チャネルを追跡するプロセスを大幅に加速させることができる。
【０１２０】
ＵＷＢパルスを伝送するべく２−ＰＰＭ変調を使用し、１シンボル当たり３フレームの反復を伴う例においては、例えば、フレームごと及びフレーム時間ごとの取得及び追跡のために、１つのグローバルな相関手段を使用可能である。
【０１２１】
最後に、走査及び追跡モジュール１0によって選択された保持する経路のそれぞれの重要性に対して重み付けを実行する場合には、この重み付けの段階は、単一グローバル相関手段２の基本相関パターン生成器２1において実装可能であり、この場合には、この生成器２1において、関連する経路の重み付けファクタに比例した振幅をそれぞれの基本パターンに対して適用可能である。又、この状況においては、必要に応じて、図面に参照符号２1aによって示されているパターン振幅制御装置を追加可能である。
【０１２２】
以上、シンボルを表す超広帯域信号を受信する方法及びシステムについて説明したが、これは、前述のように、相関手段の数を実質的に２つ（実際の受信を確保する単一相関手段と、グローバルな取得相関手段）に低減可能であるという点において特に有効である。更には、本発明による方法及びシステムは、処理する経路の数を調整可能であるという点が特に有利であり、この調整可能な特性は、動作の際に処理する受信経路の数を選択し調整する能力の結果として得られたものである。
【０１２３】
このように、本発明の主題による受信機は、動的な方式でその特性を変更し、この結果、接続品質、自律性に関する制約、及び伝送チャネルの変化性などのパラメータの特性によって決定される動作条件に対して効果的に適合するのに適している。最後に、処理する経路の数は、物理的な実装に関連して制限されてはおらず、その代わりに、例えば、信号対雑音比の値に関係する基準や特定のエネルギー基準によって制限される。
【図面の簡単な説明】
【０１２４】
【図１Ａ】従来技術を示している。
【図１Ｂ】従来技術を示している。
【図１Ｃ】従来技術を示している。
【図１Ｄ】従来技術を示している。
【図２】本発明による方法を実行するのに必要な諸段階のフローチャートの一例である。
【図３Ａ】伝送が、非限定的な例として、２−ＰＰＭモードによって実行され、直接及び二次経路に沿って伝播する直接及び二次パルスを考慮したケースにおける、本発明による方法に従って、複合相関パターンに基づいて、複数の経路に沿って伝送されるシンボルを検出するためのタイミング図を純粋に一例として示している。
【図３Ｂ】伝送が、非限定的な例として、２−ＰＰＭモードによって実行され、直接及び二次経路に沿って伝播する直接及び二次パルスを考慮したケースにおける、本発明による方法に従って、複合相関パターンに基づいて、複数の経路に沿って伝送されるシンボルを検出するためのタイミング図を純粋に一例として示している。
【図３Ｃ】伝送が、非限定的な例として、２−ＰＰＭモードによって実行され、直接及び二次経路に沿って伝播する直接及び二次パルスを考慮したケースにおける、本発明による方法に従って、複合相関パターンに基づいて、複数の経路に沿って伝送されるシンボルを検出するためのタイミング図を純粋に一例として示している。
【図３Ｄ】伝送が、非限定的な例として、２−ＰＰＭモードによって実行され、直接及び二次経路に沿って伝播する直接及び二次パルスを考慮したケースにおける、本発明による方法に従って、複合相関パターンに基づいて、複数の経路に沿って伝送されるシンボルを検出するためのタイミング図を純粋に一例として示している。
【図４Ａ】本発明の主題に従って自己適応数の伝播経路を具備するＵＷＢ信号を受信するシステムのブロックダイアグラムの形態における動作図を純粋に一例として示している。
【図４Ｂ】図４Ａに示されている本発明によるシステムの動作を実行するフローチャートを一例として示している。
【図１Ａ】
0004468822.tif 000005
【図１Ｂ】
0004468822.tif 000006
【図１Ｃ】
0004468822.tif 000007
【図１Ｄ】
0004468822.tif 000008
【図２】
0004468822.tif 000009
【図３Ａ】
0004468822.tif 000010
【図３Ｂ】
0004468822.tif 000011
【図３Ｃ】
0004468822.tif 000012
【図３Ｄ】
0004468822.tif 000013
【図４Ａ】
0004468822.tif 000014
【図４Ｂ】
0004468822.tif 000015